(57)【要約】【課題】機器の小型化を阻害することなく、衝撃力の作用に対して十分な強度を発揮する補強構造を具えた携帯型電子機器を提供する。【解決手段】本発明に係る携帯型電子機器は、扁平なキャビネット１を具え、キャビネット１の厚さを規定する外周壁には、キャビネット１全体を包囲して、保護リング４が装着されている。該保護リング４は、キャビネット１の外周壁に接触して伸びるガード部４ａと、キャビネット１の外周壁から離脱してＵ字状に伸びるフック部４ｂとから形成されている。フック部４ｂは開閉可能となっており、ベルト５を通すことが出来る。【選択図】　　　図１
2004111862.tif 000002
【特許請求の範囲】
【請求項１】
扁平なキャビネット（１）を具えた携帯型電子機器において、キャビネット（１）の厚さを規定する外周壁には、キャビネット（１）全体を包囲して、保護リング（４）が装着され、該保護リング（４）は、キャビネット（１）の外周壁に接触して伸びるガード部（４ａ）と、キャビネット（１）の外周壁から離脱してＵ字状に伸びるフック部（４ｂ）とから形成されていることを特徴とする携帯型電子機器。
【請求項２】
保護リング（４）は、Ｃ字状片（４１）と、該Ｃ字状片（４１）の両端を繋ぐことが可能なアーム片（４２）と、該アーム片（４２）の一方の端部をＣ字状片（４１）の一方の端部に枢支するヒンジ機構（４３）とから構成され、アーム片（４２）によって前記フック部（４ｂ）の一部が形成されている請求項１に記載の携帯型電子機器。
【請求項３】
保護リング（４）は、金属製、或いは衝撃力吸収能を有する樹脂から形成されている請求項１又は請求項２に記載の携帯型電子機器。
【発明の詳細な説明】
【０００１】
【発明の属する技術分野】
本発明は、ＩＣレコーダ、携帯電話機、デジタルカメラ等の扁平なキャビネットを具えた携帯型電子機器に関するものである。
【０００２】
【従来の技術】
従来、この種の携帯型電子機器においては、益々小型化、薄型化が進んでおり、これに伴って、キャビネットに内蔵される電子回路も集積度の高いものとなっている。例えば、回路基板上にＢＧＡ（Ｂａｌｌ　Ｇｒｉｄ　Ａｒｒａｙ）等の表面実装型のＩＣチップを搭載したものにおいては、外部から大きな衝撃力が作用すると、ＩＣチップが回路基板から剥がれる虞がある。
そこで従来は、キャビネット自体の構造強度を上げる対策や、キャビネット内の回路基板の組立強度を上げる対策などが講じられている。
【０００３】
【発明が解決しようとする課題】
しかしながら、従来の携帯型電子機器において、衝撃力に対する補強構造は何れもキャビネット内に設置スペースを必要とするため、機器の小型化を妨げる問題があった。
そこで本発明の目的は、機器の小型化を阻害することなく、衝撃力の作用に対して十分な強度を発揮する補強構造を具えた携帯型電子機器を提供することである。
【０００４】
【課題を解決する為の手段】
本発明に係る携帯型電子機器は、扁平なキャビネット（１）を具え、キャビネット（１）の厚さを規定する外周壁には、キャビネット（１）全体を包囲して、保護リング（４）が装着されている。該保護リング（４）は、キャビネット（１）の外周壁に接触して伸びるガード部（４ａ）と、キャビネット（１）の外周壁から離脱してＵ字状に伸びるフック部（４ｂ）とから形成されている。
尚、保護リング（４）は、金属製、或いは衝撃力吸収能を有する樹脂から形成されている。
【０００５】
扁平なキャビネット（１）を具えた携帯型電子機器においては、例えば落下などによってキャビネット（１）の外周壁に衝撃力が作用する可能性が最も高いが、上記本発明の携帯型電子機器においては、キャビネット（１）の外周壁が保護リング（４）によって保護されているので、衝撃力の作用によってキャビネット（１）自体やキャビネット（１）内の電子部品が損傷を受けることはない。
又、保護リング（４）の一部を利用して、Ｕ字状のフック部（４ｂ）が形成されているので、該フック部（４ｂ）にベルトなどを通して機器本体を吊り下げることが出来、携帯に便利である。
【０００６】
具体的構成において、保護リング（４）は、Ｃ字状片（４１）と、該Ｃ字状片（４１）の両端を繋ぐことが可能なアーム片（４２）と、該アーム片（４２）の一方の端部をＣ字状片（４１）の一方の端部に枢支するヒンジ機構（４３）とから構成され、アーム片（４２）によって前記フック部（４ｂ）の一部が形成されている。
該具体的構成によれば、アーム片（４２）を回動させて、フック部（４ｂ）を開閉することが出来るので、フック部（４ｂ）にベルト等を通す作業が簡易となる。
【０００７】
【発明の効果】
本発明に係る携帯型電子機器においては、キャビネット（１）の外周壁が保護リング（４）によって保護されると共に、保護リング（４）の一部を利用してフック部（４ｂ）が形成されているので、機器の小型化を阻害することなく、優れた耐衝撃性と携帯性を実現することが出来る。
【０００８】
【発明の実施の形態】
以下、本発明の実施の形態につき、図面に沿って具体的に説明する。
本発明に係る携帯型電子機器は、図１〜図３に示す如く扁平なキャビネット（１）を具え、キャビネット（１）の表面には、各種の情報を表示するためのディスプレイ（２）と、データ入力のための複数の操作ボタン（３）や操作スティック（３１）が設置されている。
キャビネット（１）の厚さを規定する外周壁には、キャビネット（１）全体を包囲して、保護リング（４）が装着されている。保護リング（４）は、キャビネット（１）の外周壁に接触して伸びるガード部（４ａ）と、キャビネット（１）の外周壁から離脱してＵ字状に伸びるフック部（４ｂ）とから形成されている。
【０００９】
保護リング（４）は、金属製、或いは衝撃力吸収能を有する樹脂から形成されており、図４（ａ）（ｂ）に示す如く、Ｃ字状片（４１）と、該Ｃ字状片（４１）の両端を繋ぐことが可能なアーム片（４２）と、該アーム片（４２）の一方の端部をＣ字状片（４１）の一方の端部に枢支するヒンジ機構（４３）とから構成されており、アーム片（４２）によって前記フック部（４ｂ）の一部が形成されている。
ヒンジ機構（４３）にはトーションバネ（図示省略）が内蔵され、該トーションバネによってアーム片（４２）が図４（ｂ）の開き状態から図４（ａ）の閉じ状態へ向けて付勢されている。
【００１０】
尚、キャビネット（１）は、一対のキャビネット半体を組み合わせて構成され、組立工程において両キャビネット半体の間に保護リング（４）を挟み込むことによって、キャビネット（１）に保護リング（４）が取り付けられる。
【００１１】
上記本発明の携帯型電子機器においては、キャビネット（１）が４つの角部を大径の円弧形状とした丸い外形を有すると共に、該キャビネット（１）の外周壁が保護リング（４）によって覆われているので、落下などによって衝撃力が作用したとき、該衝撃力は保護リング（４）によって受け止められ、キャビネット（１）内の電子部品に対する影響が緩和される。
この結果、キャビネット（１）自体の構造強度を上げ、或いはキャビネット（１）内の回路基板の組立強度を上げる等の対策は最小限に抑えることが可能となり、これによって機器の小型化が実現される。
【００１２】
又、本発明に係る携帯型電子機器は、図１に示す如く、保護リング（４）のフック部（４ｂ）にベルト（５）等を通して吊り下げることが出来るので、携帯に便利である。この際、Ｃ字状片（４１）を回動させてフック部（４ｂ）を開くことによって、フック部（４ｂ）に容易にベルト（５）を通すことが出来る。
【図面の簡単な説明】
【図１】本発明に係る携帯型電子機器の斜視図である。
【図２】該携帯型電子機器の正面図である。
【図３】該携帯型電子機器の背面図である。
【図４】保護リングの構成、並びにアーム片の開閉動作を表わす正面図である。
【符号の説明】
（１）　キャビネット
（２）　ディスプレイ
（３）　操作ボタン
（３１）　操作スティック
（４）　保護リング
（４ａ）　ガード部
（４ｂ）　フック部
（４１）　Ｃ字状片
（４２）　アーム片
（４３）　ヒンジ機構
（５）　ベルト
【図１】
2004111862.tif 000003
【図２】
2004111862.tif 000004
【図３】
2004111862.tif 000005
【図４】
2004111862.tif 000006